(57)【要約】【課題】ドハティ型増幅器の小型化を図ることが可能な、ドハティ型増幅器を提供する。【解決手段】入力された入力信号を２つに分配する分配器と、分配器により分配された一の入力信号を増幅するキャリア増幅器と、分配器により分配された他の入力信号のレベルに応じて動作し、他の入力信号を増幅するピーキング増幅器とを備えるドハティ型増幅器であって、分配器は、キャリア増幅器の入力側に電気的に接続される第１のドライバ増幅器と、ピーキング増幅器の入力側に電気的に接続される第２のドライバ増幅器とを含む、ドハティ型増幅器が、提供される。【選択図】図４
2018074255.tif 000002
【特許請求の範囲】
【請求項１】
入力された入力信号を２つに分配する分配器と、
前記分配器により分配された一の前記入力信号を増幅するキャリア増幅器と、
前記分配器により分配された他の前記入力信号のレベルに応じて動作し、他の前記入力信号を増幅するピーキング増幅器と、
を備えるドハティ型増幅器であって、
前記分配器は、前記キャリア増幅器の入力側に電気的に接続される第１のドライバ増幅器と、前記ピーキング増幅器の入力側に電気的に接続される第２のドライバ増幅器とを含むことを特徴とする、ドハティ型増幅器。
【請求項２】
前記分配器は、前記入力信号を、前記キャリア増幅器に前記入力信号を伝達する第１の経路と、前記ピーキング増幅器に前記入力信号を伝達する第２の経路とに分配するＴ分岐を有し、
前記第１の経路には、前記第１のドライバ増幅器と、前記第１のドライバ増幅器の入力側に電気的に接続される第１の入力整合回路と、前記第１のドライバ増幅器の出力側に電気的に接続される第１の出力整合回路とが設けられ、
前記第２の経路には、前記第２のドライバ増幅器と、前記第２のドライバ増幅器の入力側に電気的に接続される第２の入力整合回路と、前記第２のドライバ増幅器の出力側に電気的に接続される第２の出力整合回路とが設けられることを特徴とする、請求項１に記載のドハティ型増幅器。
【請求項３】
前記分配器は、
前記入力信号が入力される入力整合回路と、
前記入力整合回路から出力される前記入力信号を、前記キャリア増幅器に前記入力信号を伝達する第１の経路と、前記ピーキング増幅器に前記入力信号を伝達する第２の経路とに分配するＴ分岐と、
を有し、
前記第１の経路には、前記第１のドライバ増幅器と、前記第１のドライバ増幅器の出力側に電気的に接続される第１の出力整合回路とが設けられ、
前記第２の経路には、前記第２のドライバ増幅器と、前記第２のドライバ増幅器の出力側に電気的に接続される第２の出力整合回路とが設けられることを特徴とする、請求項１に記載のドハティ型増幅器。
【請求項４】
前記分配器は、前記第１の出力整合回路の出力側と前記第２の出力整合回路の出力側とを電気的に接続するアイソレーション抵抗をさらに有することを特徴とする、請求項３に記載のドハティ型増幅器。
【請求項５】
前記第１のドライバ増幅器と前記第２のドライバ増幅器とは、ＡＢ級で動作することを特徴とする、請求項１〜４のいずれか１項に記載のドハティ型増幅器。
【発明の詳細な説明】
【技術分野】
【０００１】
本発明は、ドハティ型増幅器に関する。
【背景技術】
【０００２】
無線通信におけるＯＦＤＭ（Orthogonal  Frequency  Division  Multiplexing）などの変調方式は、平均電力とピーク電力の比（ＰＡＰＲ : Peak  to  Average  Power  Ratio）が大きい。例えばＲＦ（Radio  Frequency）信号などの、上記のような変調方式を利用した信号を効率的に増幅する手段としては、ドハティ型増幅器がある。
【０００３】
このような中、ドハティ型増幅器に関する技術が開発されている。ドハティ型増幅器を構成するキャリア増幅器とピーキング増幅器とに入力される信号を分配する分配器として、９０度ハイブリッド回路を備えるドハティ型増幅器に関する技術としては、例えば下記の特許文献１に記載の技術が挙げられる。
【先行技術文献】
【特許文献】
【０００４】
【特許文献１】特開２０１２−６５１１７号公報
【発明の概要】
【発明が解決しようとする課題】
【０００５】
例えば無線基地局などで用いられているドハティ型増幅器では、分配器として、ウィルキンソン電力分配回路や９０度ハイブリッド回路が用いられている。しかしながら、ウィルキンソン電力分配回路や９０度ハイブリッド回路は、λ／４線路を複数用いる構造であるため、形状が大きくなる。
【０００６】
本発明は、上記問題に鑑みてなされたものであり、本発明の目的とするところは、ドハティ型増幅器の小型化を図ることが可能な、新規かつ改良されたドハティ型増幅器を提供することにある。
【課題を解決するための手段】
【０００７】
上記目的を達成するために、本発明のある観点によれば、入力された入力信号を２つに分配する分配器と、上記分配器により分配された一の上記入力信号を増幅するキャリア増幅器と、上記分配器により分配された他の上記入力信号のレベルに応じて動作し、他の上記入力信号を増幅するピーキング増幅器と、を備えるドハティ型増幅器であって、上記分配器は、上記キャリア増幅器の入力側に電気的に接続される第１のドライバ増幅器と、上記ピーキング増幅器の入力側に電気的に接続される第２のドライバ増幅器とを含む、ドハティ型増幅器が、提供される。
【０００８】
かかる構成では、例えば分配器を構成する各ドライバ増幅器（第１のドライバ増幅器、第２のドライバ増幅器）のアイソレーション特性を利用して、分配器における分配出力の各端子間のアイソレーションが実現される。そのため、かかる構成の分配器が用いられる場合には、ウィルキンソン電力分配回路や９０度ハイブリッド回路のようなλ／４線路を複数用いる構造の分配器は必要とされない。よって、かかる構成によって、ドハティ型増幅器の小型化を図ることができる。
【０００９】
また、上記分配器は、上記入力信号を、上記キャリア増幅器に上記入力信号を伝達する第１の経路と、上記ピーキング増幅器に上記入力信号を伝達する第２の経路とに分配するＴ分岐を有し、上記第１の経路には、上記第１のドライバ増幅器と、上記第１のドライバ増幅器の入力側に電気的に接続される第１の入力整合回路と、上記第１のドライバ増幅器の出力側に電気的に接続される第１の出力整合回路とが設けられ、上記第２の経路には、上記第２のドライバ増幅器と、上記第２のドライバ増幅器の入力側に電気的に接続される第２の入力整合回路と、上記第２のドライバ増幅器の出力側に電気的に接続される第２の出力整合回路とが設けられていてもよい。
【００１０】
また、上記分配器は、上記入力信号が入力される入力整合回路と、上記入力整合回路から出力される上記入力信号を、上記キャリア増幅器に上記入力信号を伝達する第１の経路と、上記ピーキング増幅器に上記入力信号を伝達する第２の経路とに分配するＴ分岐と、を有し、上記第１の経路には、上記第１のドライバ増幅器と、上記第１のドライバ増幅器の出力側に電気的に接続される第１の出力整合回路とが設けられ、上記第２の経路には、上記第２のドライバ増幅器と、上記第２のドライバ増幅器の出力側に電気的に接続される第２の出力整合回路とが設けられていてもよい。
【００１１】
また、上記分配器は、上記第１の出力整合回路の出力側と上記第２の出力整合回路の出力側とを電気的に接続するアイソレーション抵抗をさらに有していてもよい。
【００１２】
また、上記第１のドライバ増幅器と上記第２のドライバ増幅器とは、ＡＢ級で動作してもよい。
【発明の効果】
【００１３】
本発明によれば、ドハティ型増幅器の小型化を図ることができる。
【図面の簡単な説明】
【００１４】
【図１】既存のドハティ型増幅器の構成の一例を示すブロック図である。
【図２】既存のドハティ型増幅器を構成する分配器の構成の一例を示す説明図である。
【図３】ドハティ型増幅器を構成する分配器としてＴ分岐を用いるドハティ型増幅器の構成の一例を示すブロック図である。
【図４】第１の実施形態に係るドハティ型増幅器の構成の一例を示すブロック図である。
【図５】第１の実施形態に係るドハティ型増幅器が備える分配器の構成の一例を示すブロック図である。
【図６】第２の実施形態に係るドハティ型増幅器の構成の一例を示すブロック図である。
【図７】第２の実施形態に係るドハティ型増幅器が備える分配器の構成の一例を示すブロック図である。
【図８】第３の実施形態に係るドハティ型増幅器の構成の一例を示すブロック図である。
【図９】第３の実施形態に係るドハティ型増幅器が備える分配器の構成の一例を示すブロック図である。
【図１０】本発明の実施形態に係るドハティ型増幅器における、Ｔ分岐による分配出力の各端子間のアイソレーション特性の一例を示す説明図である。
【発明を実施するための形態】
【００１５】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１６】
また、以下において、“一の構成要素と、他の構成要素とを、接続する”とは、“当該一の構成要素と当該他の構成要素とが、さらなる他の構成要素を介さずに、電気的に接続されていること”、または、“当該一の構成要素と当該他の構成要素とが、さらなる他の構成要素を介して、電気的に接続されていること”をいう。
【００１７】
（既存のドハティ型増幅器について）
本発明の実施形態に係るドハティ型増幅器について説明する前に、既存のドハティ型増幅器について説明する。
【００１８】
図１は、既存のドハティ型増幅器１０の構成の一例を示すブロック図である。ドハティ型増幅器１０は、例えば、分配器１２と、キャリア増幅器１４と、インピーダンス変換回路１６と、位相調整回路１８と、ピーキング増幅器２０と、インピーダンス変換回路２２とを備える。また、ドハティ型増幅器１０では、分配器１２の前段にドライバ増幅器が設けられていてもよい。
【００１９】
分配器１２は、入力された入力信号を２つに分配する。
【００２０】
本発明の実施形態に係る入力信号としては、例えば、マイクロ波帯の信号や、ミリ波帯の信号などのＲＦ信号が挙げられる。なお、本発明の実施形態に係る入力信号の周波数帯が、上記に示す例に限られないことは、言うまでもない。
【００２１】
図２は、既存のドハティ型増幅器１０を構成する分配器１２の構成の一例を示す説明図である。分配器１２は、例えば、図２のＡに示すウィルキンソン電力分配回路、または、図２のＢに示す９０度ハイブリッド回路で構成される。
【００２２】
キャリア増幅器１４は、分配器１２により分配された一の入力信号を増幅する。キャリア増幅器１４は、入力信号が供給されているときは常時動作する増幅器であり、メイン増幅器とよばれる場合がある。
【００２３】
キャリア増幅器１４としては、例えば、Ｂ級で動作するようにバイアスされた増幅器、ＡＢ級で動作するようにバイアスされた増幅器、またはＡ級で動作するようにバイアスされた増幅器が、挙げられる。
【００２４】
インピーダンス変換回路１６は、例えばλ／４線路で構成され、インピーダンスを変換する。
【００２５】
位相調整回路１８は、例えばλ／４線路で構成され、分配器１２から伝達される入力信号の位相を調整する。
【００２６】
ピーキング増幅器２０は、キャリア増幅器１４の飽和電力付近では十分にオン状態となり、入力信号を増幅する。また、ピーキング増幅器２０は、キャリア増幅器１４の飽和電力から十分バックオフをとった電力動作領域ではオフ状態となる。つまり、ピーキング増幅器２０は、入力された入力信号のレベルに応じて動作して、入力信号を増幅する。
【００２７】
ピーキング増幅器２０としては、例えばＣ級で動作する様にバイアスされた増幅器が、挙げられる。
【００２８】
ドハティ型増幅器１０では、インピーダンス変換回路１６から出力される入力信号とピーキング増幅器２０から出力される入力信号とが合成される。
【００２９】
インピーダンス変換回路２２は、例えばλ／４線路で構成され、インピーダンスを変換する。
【００３０】
ドハティ型増幅器１０は、例えば図１に示す構成を有する。
【００３１】
ここで、ドハティ型増幅器１０では、ピーキング増幅器２０がキャリア増幅器１４の飽和電力付近では十分にオン状態となる。よって、ドハティ型増幅器１０では、バランス型増幅器と同等な飽和電力を出力することが可能である。
【００３２】
一方で、ドハティ型増幅器１０では、ピーキング増幅器２０はキャリア増幅器１４の飽和電力から十分バックオフをとった電力動作領域ではオフ状態となる。よって、ドハティ型増幅器１０では、ピーキング増幅器２０の消費電流を低く抑えることが可能である。
【００３３】
よって、ドハティ型増幅器１０には、電力効率を高めつつ、消費電力を低減することが可能であるという利点がある。
【００３４】
しかしながら、ドハティ型増幅器１０では、例えば図２に示すように、ウィルキンソン電力分配回路や９０度ハイブリッド回路が分配器１２として用いられている。ここで、ウィルキンソン電力分配回路や９０度ハイブリッド回路は、図２に示すようにλ／４線路を複数用いる構造であるため、形状が大きくなる。
【００３５】
したがって、ドハティ型増幅器１０の小型化は困難であり、また、ドハティ型増幅器１０を、例えば無線端末用の高周波増幅器として用いることも困難である。
【００３６】
（本発明の実施形態に係るドハティ型増幅器）
上記のように、既存のドハティ型増幅器１０では、分配器１２の形状が大きくなることから、小型化は困難である。
【００３７】
ここで、ドハティ型増幅器の小型化を図る方法としては、例えば、ドハティ型増幅器を構成する分配器としてＴ分岐を用いる方法が、考えられる。
【００３８】
図３は、ドハティ型増幅器を構成する分配器としてＴ分岐を用いるドハティ型増幅器５０の構成の一例を示すブロック図である。
【００３９】
ドハティ型増幅器５０は、分配器５２と、キャリア増幅器１４と、インピーダンス変換回路１６と、位相調整回路１８と、ピーキング増幅器２０と、インピーダンス変換回路２２とを備える。また、ドハティ型増幅器５０では、分配器５２の前段にドライバ増幅器が設けられていてもよい。
【００４０】
図３に示すキャリア増幅器１４、インピーダンス変換回路１６、位相調整回路１８、ピーキング増幅器２０、およびインピーダンス変換回路２２それぞれは、図１に示すドハティ型増幅器１０を構成するキャリア増幅器１４、インピーダンス変換回路１６、位相調整回路１８、ピーキング増幅器２０、およびインピーダンス変換回路２２と同様の機能、構成を有する。
【００４１】
分配器５２は、Ｔ分岐を有する。分配器５２を構成するＴ分岐は、入力信号を、キャリア増幅器１４に入力信号を伝達する第１の経路と、ピーキング増幅器２０に入力信号を伝達する第２の経路とに分配する。
【００４２】
ドハティ型増幅器５０は、例えば図３に示す構成を有する。
【００４３】
ここで、ドハティ型増幅器５０は、ドハティ型増幅器１０と基本的に同様の構成を有する。
【００４４】
よって、ドハティ型増幅器５０は、図１に示すドハティ型増幅器１０と同様に、電力効率を高めつつ、消費電力を低減することが可能であるという利点を有する。
【００４５】
また、例えば図３に示すように、ドハティ型増幅器５０では、分配器５２としてＴ分岐が用いられる。分配器５２は、ドハティ型増幅器１０を構成する分配器１２のようにλ／４線路を複数用いる構造ではないので、分配器５２の形状は分配器１２よりも小さくなる。よって、例えば図３に示すように分配器５２としてＴ分岐を用いことによって、ドハティ型増幅器５０の小型化を図ることが可能である。
【００４６】
しかしながら、図３に示すように単純にＴ分岐を分配器として用いる場合には、Ｔ分岐による分配出力の各端子（図３に示す（ａ）、（ｂ））は、互いにアイソレーションがとれていない。なお、分配器として、図２に示すようなウィルキンソン電力分配回路や９０度ハイブリッド回路が用いられる場合には、分配出力の各端子は、互いにアイソレーションがとれている。
【００４７】
ここで、ドハティ型増幅器５０では入力電力に応じてピーキング増幅器２０の動作が変化するため、図３に示す（ｃ）点のインピーダンスは固定ではない。そのため、図３に示す（ｃ）点のインピーダンスが変化することにより、分配出力の各端子（図３に示す（ａ）、（ｂ））の信号配分比が変動する。
【００４８】
よって、図３に示すように単純にＴ分岐を分配器として用いる場合には、正常なドハティ動作が困難となり、ドハティ型増幅器の性能劣化が生じる。
【００４９】
そこで、本発明の実施形態に係るドハティ型増幅器は、キャリア増幅器の入力側に電気的に接続される第１のドライバ増幅器とピーキング増幅器の入力側に電気的に接続される第２のドライバ増幅器とを含む分配器を、備える。
【００５０】
本発明の実施形態に係るドハティ型増幅器では、ドライバ増幅器のアイソレーション特性を利用することによって、アイソレーション特性の維持が図られる。
【００５１】
また、本発明の実施形態に係るドハティ型増幅器では、分配器をλ／４線路を複数用いる構造としないことにより、分配器の形状を既存のドハティ型増幅器１０を構成する分配器１２よりも小さくすることによって、ドハティ型増幅器の小型化が図られる。
【００５２】
以下、アイソレーション特性を維持しつつ、小型化を図ることが可能な、本発明の実施形態に係るドハティ型増幅器の構成、および本発明の実施形態に係るドハティ型増幅器が奏する効果の一例について説明する。
【００５３】
［１］第１の実施形態に係るドハティ型増幅器１００
図４は、第１の実施形態に係るドハティ型増幅器１００の構成の一例を示すブロック図である。
【００５４】
ドハティ型増幅器１００は、分配器１０２と、キャリア増幅器１０４と、インピーダンス変換回路１０６と、位相調整回路１０８と、ピーキング増幅器１１０と、インピーダンス変換回路１１２とを備える。
【００５５】
［１−１］分配器１０２
分配器１０２は、入力された入力信号を２つに分配する。また、上述したように、分配器１０２は、キャリア増幅器１０４の入力側に接続される第１のドライバ増幅器と、ピーキング増幅器１１０の入力側に接続される第２のドライバ増幅器とを含む。
【００５６】
図５は、第１の実施形態に係るドハティ型増幅器１００が備える分配器１０２の構成の一例を示すブロック図である。
【００５７】
分配器１０２は、入力信号を、キャリア増幅器１０４に入力信号を伝達する第１の経路と、ピーキング増幅器１１０に入力信号を伝達する第２の経路とに分配するＴ分岐を有する。
【００５８】
第１の経路には、第１のドライバ増幅器１２２Ａと、第１のドライバ増幅器１２２Ａの入力側に接続される第１の入力整合回路１２０Ａと、第１のドライバ増幅器１２２Ａの出力側に接続される第１の出力整合回路１２４Ａとが設けられる。
【００５９】
第１の入力整合回路１２０Ａは、第１の入力整合回路１２０Ａの前段と後段とのインピーダンスを整合させる。第１の入力整合回路１２０Ａとしては、例えば、インダクタおよびキャパシタを利用した、ＬＰＦ（Low  Pass  Filter）型整合回路やＨＰＦ（High  Pass  Filter）型整合回路などが、挙げられる。
【００６０】
第１のドライバ増幅器１２２Ａは、第１の入力整合回路１２０Ａから伝達される入力信号を増幅する。
【００６１】
第１のドライバ増幅器１２２Ａは、例えば、ＡＢ級にバイアスされてＡＢ級で動作する。第１のドライバ増幅器１２２ＡがＡＢ級で動作する場合には、入力電力の変化に対してインピーダンス変動は小さい。そのため、第１のドライバ増幅器１２２ＡがＡＢ級で動作する場合には、分配器１０２を構成するＴ分岐における電力分配比は変動しにくい。
【００６２】
なお、第１のドライバ増幅器１２２Ａは、ＡＢ級で動作する増幅器に限られない。例えば、第１のドライバ増幅器１２２Ａは、Ａ級にバイアスされてＡ級で動作する増幅器であってもよい。第１のドライバ増幅器１２２ＡがＡ級で動作する場合であっても、入力電力の変化に対してインピーダンス変動は小さくなるので、分配器１０２を構成するＴ分岐における電力分配比は変動しにくい。
【００６３】
第１の出力整合回路１２４Ａは、第１の出力整合回路１２４Ａの前段と後段とのインピーダンスを整合させる。第１の出力整合回路１２４Ａとしては、例えば、インダクタおよびキャパシタを利用した、ＬＰＦ型整合回路やＨＰＦ型整合回路などが、挙げられる。
【００６４】
第２の経路には、第２のドライバ増幅器１２２Ｂと、第２のドライバ増幅器１２２Ｂの入力側に接続される第２の入力整合回路１２０Ｂと、第２のドライバ増幅器１２２Ｂの出力側に接続される第２の出力整合回路１２４Ｂとが設けられる。
【００６５】
第２の入力整合回路１２０Ｂは、第２の入力整合回路１２０Ｂの前段と後段とのインピーダンスを整合させる。第２の入力整合回路１２０Ｂは、例えば第１の入力整合回路１２０Ａと同様の構成を有する。
【００６６】
第２のドライバ増幅器１２２Ｂは、第２の入力整合回路１２０Ｂから伝達される入力信号を増幅する。
【００６７】
第２のドライバ増幅器１２２Ｂは、第１のドライバ増幅器１２２Ａと同様に、例えば、ＡＢ級にバイアスされてＡＢ級で動作する。また、第２のドライバ増幅器１２２Ｂは、第１のドライバ増幅器１２２Ａと同様に、例えば、Ａ級にバイアスされてＡ級で動作してもよい。
【００６８】
図５に示すように第２のドライバ増幅器１２２ＢがＡＢ級で動作する場合（または、第２のドライバ増幅器１２２ＢがＡ級で動作する場合）には、入力電力の変化に対してインピーダンス変動は小さい。そのため、第２のドライバ増幅器１２２ＢがＡＢ級で動作する場合（または、第２のドライバ増幅器１２２ＢがＡ級で動作する場合）には、分配器１０２を構成するＴ分岐における電力分配比は変動しにくい。
【００６９】
第２の出力整合回路１２４Ｂは、第２の出力整合回路１２４Ｂの前段と後段とのインピーダンスを整合させる。第２の出力整合回路１２４Ｂは、例えば第１の出力整合回路１２４Ａと同様の構成を有する。
【００７０】
分配器１０２は、例えば図５に示す構成を有する。
【００７１】
ここで、分配器１０２では、第１の経路および第２の経路それぞれにドライバ増幅器（第１のドライバ増幅器１２２Ａ、第２のドライバ増幅器１２２Ｂ）が設けられる。
【００７２】
よって、分配器１０２では、分配器１０２を構成する各ドライバ増幅器のアイソレーション特性によって、Ｔ分岐による分配出力の各端子間のアイソレーション特性は、図３に示すような分配器がＴ分岐のみで構成される場合と比較して、大幅に改善される。
【００７３】
また、例えば図５に示すように分配器１０２を構成する各ドライバ増幅器がＡＢ級にバイアスされてＡＢ級で動作する場合（または、各ドライバ増幅器がＡ級にバイアスされてＡ級で動作する場合）には、入力電力の変化に対してインピーダンス変動は小さい。そのため、分配器１０２では、Ｔ分岐における電力分配比は変動しにくい。
【００７４】
また、分配器１０２は、図１、図２に示す分配器１２のようにλ／４線路を複数用いる構造ではないので、分配器１０２の形状は分配器１２よりも小さくなる。よって、分配器１０２によって、ドハティ型増幅器１００の小型化を図ることができる。
【００７５】
したがって、分配器１０２を備えるドハティ型増幅器１００は、アイソレーション特性を維持しつつ、ドハティ型増幅器１０のようなλ／４線路を用いた分配器を備えるドハティ型増幅器よりも大幅な小型化を図ることが、できる。
【００７６】
なお、第１のドライバ増幅器１２２Ａと第２のドライバ増幅器１２２Ｂとを構成するトランジスタサイズとしては、例えば“図１に示すドハティ型増幅器１０の前段にドライバ増幅器を設けた場合における、当該ドライバ増幅器を構成するトランジスタサイズを２分割したサイズ”が、挙げられる。また、第１のドライバ増幅器１２２Ａと第２のドライバ増幅器１２２Ｂとを構成するトランジスタサイズは、異なっていてもよい。
【００７７】
［１−２］キャリア増幅器１０４、インピーダンス変換回路１０６、位相調整回路１０８、ピーキング増幅器１１０、およびインピーダンス変換回路１１２
キャリア増幅器１０４は、分配器１０２により分配された一の入力信号（第１の経路により伝達される入力信号）を増幅する。キャリア増幅器１０４は、入力信号が供給されているときは常時動作する増幅器であり、メイン増幅器とよばれる場合がある。
【００７８】
キャリア増幅器１０４としては、例えば図１に示すキャリア増幅器１４と同様に、Ｂ級で動作するようにバイアスされた増幅器、ＡＢ級で動作するようにバイアスされた増幅器、またはＡ級で動作するようにバイアスされた増幅器が、挙げられる。
【００７９】
インピーダンス変換回路１０６は、例えば図１に示すインピーダンス変換回路１６と同様にλ／４線路で構成され、インピーダンスを変換する。
【００８０】
位相調整回路１０８は、例えば図１に示す位相調整回路１８と同様にλ／４線路で構成され、分配器１０２から伝達される入力信号（第２の経路により伝達される入力信号）の位相を調整する。
【００８１】
ピーキング増幅器１１０は、キャリア増幅器１０４の飽和電力付近では十分にオン状態となり、入力信号を増幅する。また、ピーキング増幅器１１０は、キャリア増幅器１０４の飽和電力から十分バックオフをとった電力動作領域ではオフ状態となる。つまり、ピーキング増幅器１１０は、入力された入力信号のレベルに応じて動作して、入力信号を増幅する。
【００８２】
ピーキング増幅器１１０としては、例えば図１に示すピーキング増幅器２０と同様に、Ｃ級で動作する様にバイアスされた増幅器が挙げられる。
【００８３】
ドハティ型増幅器１００では、インピーダンス変換回路１０６から出力される入力信号とピーキング増幅器１１０から出力される入力信号とが合成される。
【００８４】
インピーダンス変換回路１１２は、例えば図１に示すインピーダンス変換回路２２と同様にλ／４線路で構成され、インピーダンスを変換する。
【００８５】
ドハティ型増幅器１００は、例えば図４に示す構成を有する。
【００８６】
ここで、ドハティ型増幅器１００では、ピーキング増幅器１１０がキャリア増幅器１０４の飽和電力付近では十分にオン状態となる。よって、ドハティ型増幅器１００では、バランス型増幅器と同等な飽和電力を出力することが可能となる。
【００８７】
一方で、ドハティ型増幅器１００では、ピーキング増幅器１１０はキャリア増幅器１０４の飽和電力から十分バックオフをとった電力動作領域ではオフ状態となる。よって、ドハティ型増幅器１００は、ピーキング増幅器１１０の消費電流を低く抑えることが可能となる。
【００８８】
よって、ドハティ型増幅器１００は、図１に示すドハティ型増幅器１０と同様に、電力効率を高めつつ、消費電力を低減することができる。
【００８９】
また、ドハティ型増幅器１００を構成する分配器１０２では、第１の経路および第２の経路それぞれにドライバ増幅器（第１のドライバ増幅器１２２Ａ、第２のドライバ増幅器１２２Ｂ）が設けられる。
【００９０】
上述したように、分配器１０２を構成する各ドライバ増幅器のアイソレーション特性によって、Ｔ分岐による分配出力の各端子間のアイソレーション特性は、図３に示すような分配器がＴ分岐のみで構成される場合と比較して、大幅に改善される。また、上述したように、分配器１０２を構成する各ドライバ増幅器がＡＢ級で動作する場合（または各ドライバ増幅器がＡ級で動作する場合）には、入力電力の変化に対してインピーダンス変動は小さいので、分配器１０２では、Ｔ分岐における電力分配比は変動しにくい。
【００９１】
また上述したように、分配器１０２は、図１、図２に示す分配器１２のようにλ／４線路を複数用いる構造ではないので、分配器１０２の形状は分配器１２よりも小さくなる。
【００９２】
したがって、ドハティ型増幅器１００は、アイソレーション特性を維持しつつ、ドハティ型増幅器１０のようなλ／４線路を用いた分配器を備えるドハティ型増幅器よりも大幅な小型化を図ることが、できる。
【００９３】
また、ドハティ型増幅器１００は、λ／４線路を用いた分配器を備えるドハティ型増幅器よりも大幅な小型化を図ることが可能であるので、例えば、スマートフォンや携帯電話などの無線端末に搭載される高周波増幅器として用いることが、容易である。なお、例えばドハティ型増幅器１００を無線基地局などで用いられる高周波増幅器として用いるなど、ドハティ型増幅器１００を任意の機器の増幅器として用いることが可能であることは、言うまでもない。
【００９４】
なお、第１の実施形態に係るドハティ型増幅器の構成は、図４に示す例に限られない。
【００９５】
例えば、第１の実施形態に係るドハティ型増幅器は、“ピーキング増幅器１１０の前段に設けられる位相調整回路１０８が、キャリア増幅器１０４の前段に設けられる構成”など、ドハティ型増幅器として機能しうる任意の構成をとることが可能である。なお、上記の変形例に係る構成は、後述する他の実施形態に係るドハティ型増幅器にも適用されうる。
【００９６】
［２］第２の実施形態に係るドハティ型増幅器２００
図６は、第２の実施形態に係るドハティ型増幅器２００の構成の一例を示すブロック図である。
【００９７】
ドハティ型増幅器２００は、分配器２０２と、キャリア増幅器１０４と、インピーダンス変換回路１０６と、位相調整回路１０８と、ピーキング増幅器１１０と、インピーダンス変換回路１１２とを備える。
【００９８】
［２−１］分配器２０２
分配器２０２は、入力された入力信号を２つに分配する。また、上述したように、分配器２０２は、キャリア増幅器１０４の入力側に接続される第１のドライバ増幅器と、ピーキング増幅器１１０の入力側に接続される第２のドライバ増幅器とを含む。
【００９９】
図７は、第２の実施形態に係るドハティ型増幅器２００が備える分配器２０２の構成の一例を示すブロック図である。
【０１００】
分配器２０２は、入力信号が入力される入力整合回路２１０と、入力整合回路２１０から出力される入力信号を、キャリア増幅器１０４に入力信号を伝達する第１の経路と、ピーキング増幅器１１０に入力信号を伝達する第２の経路とに分配するＴ分岐とを、有する。
【０１０１】
入力整合回路２１０は、入力整合回路２１０の前段と後段とのインピーダンスを整合させる。入力整合回路２１０としては、例えば、インダクタおよびキャパシタを利用した、ＬＰＦ型整合回路やＨＰＦ型整合回路などが、挙げられる。
【０１０２】
第１の経路には、第１のドライバ増幅器１２２Ａと、第１のドライバ増幅器１２２Ａの出力側に接続される第１の出力整合回路１２４Ａとが設けられる。ここで、図７に示す第１のドライバ増幅器１２２Ａおよび第１の出力整合回路１２４Ａそれぞれは、図５に示す第１のドライバ増幅器１２２Ａおよび第１の出力整合回路１２４Ａと同様の機能、構成を有する。
【０１０３】
第２の経路には、第２のドライバ増幅器１２２Ｂと、第２のドライバ増幅器１２２Ｂの出力側に接続される第２の出力整合回路１２４Ｂとが設けられる。ここで、図７に示す第２のドライバ増幅器１２２Ｂおよび第２の出力整合回路１２４Ｂそれぞれは、図５に示す第２のドライバ増幅器１２２Ｂおよび第２の出力整合回路１２４Ｂと同様の機能、構成を有する。
【０１０４】
分配器２０２は、例えば図７に示す構成を有する。
【０１０５】
ここで、分配器２０２では、図５に示す第１の実施形態に係る分配器１０２と同様に、第１の経路および第２の経路それぞれにドライバ増幅器（第１のドライバ増幅器１２２Ａ、第２のドライバ増幅器１２２Ｂ）が設けられる。
【０１０６】
よって、分配器２０２は、第１の実施形態に係る分配器１０２と同様の効果を奏する。
【０１０７】
また、図７に示す分配器２０２と図５に示す分配器１０２とを比較すると、分配器２０２では、分配器１０２を構成する第１の入力整合回路１２０Ａおよび第２の入力整合回路１２０Ｂが、１つの入力整合回路２１０に統合されている。よって、分配器２０２は、第１の実施形態に係る分配器１０２よりも回路規模をより小さくすることができる。また、回路規模をより小さくすることが可能となることによって、分配器２０２を分配器１０２よりもさらに小型化することができる。
【０１０８】
［２−２］キャリア増幅器１０４、インピーダンス変換回路１０６、位相調整回路１０８、ピーキング増幅器１１０、およびインピーダンス変換回路１１２
キャリア増幅器１０４、インピーダンス変換回路１０６、位相調整回路１０８、ピーキング増幅器１１０、およびインピーダンス変換回路１１２それぞれは、図４に示すキャリア増幅器１０４、インピーダンス変換回路１０６、位相調整回路１０８、ピーキング増幅器１１０、およびインピーダンス変換回路１１２と同様の機能、構成を有する。
【０１０９】
ドハティ型増幅器２００は、例えば図６に示す構成を有する。
【０１１０】
ここで、ドハティ型増幅器２００は、第１の実施形態に係るドハティ型増幅器１００と基本的に同様の構成を有する。したがって、ドハティ型増幅器２００は、第１の実施形態に係るドハティ型増幅器１００と同様に、アイソレーション特性を維持しつつ、ドハティ型増幅器１０のようなλ／４線路を用いた分配器を備えるドハティ型増幅器よりも大幅な小型化を図ることが、できる。
【０１１１】
また、上述したように、分配器２０２の回路規模を第１の実施形態に係る分配器１０２より小さくすることが可能であるので、分配器２０２を分配器１０２よりもさらに小型化することができる。よって、ドハティ型増幅器２００は、第１の実施形態に係るドハティ型増幅器１００よりも、さらに小型化を図ることができる。
【０１１２】
［３］第３の実施形態に係るドハティ型増幅器３００
図８は、第３の実施形態に係るドハティ型増幅器３００の構成の一例を示すブロック図である。
【０１１３】
ドハティ型増幅器３００は、分配器３０２と、キャリア増幅器１０４と、インピーダンス変換回路１０６と、位相調整回路１０８と、ピーキング増幅器１１０と、インピーダンス変換回路１１２とを備える。
【０１１４】
［３−１］分配器３０２
分配器３０２は、入力された入力信号を２つに分配する。また、上述したように、分配器３０２は、キャリア増幅器１０４の入力側に接続される第１のドライバ増幅器と、ピーキング増幅器１１０の入力側に接続される第２のドライバ増幅器とを含む。
【０１１５】
図９は、第３の実施形態に係るドハティ型増幅器３００が備える分配器３０２の構成の一例を示すブロック図である。
【０１１６】
分配器３０２は、入力信号が入力される入力整合回路２１０と、入力整合回路２１０から出力される入力信号を、キャリア増幅器１０４に入力信号を伝達する第１の経路と、ピーキング増幅器１１０に入力信号を伝達する第２の経路とに分配するＴ分岐と、アイソレーション抵抗Ｒとを、有する。
【０１１７】
入力整合回路２１０は、図７に示す入力整合回路２１０と同様に、入力整合回路２１０の前段と後段とのインピーダンスを整合させる。
【０１１８】
第１の経路には、図７に示す分配器２０２における第１の経路と同様に、第１のドライバ増幅器１２２Ａと、第１のドライバ増幅器１２２Ａの出力側に接続される第１の出力整合回路１２４Ａとが設けられる。
【０１１９】
第２の経路には、図７に示す分配器２０２における第２の経路と同様に、第２のドライバ増幅器１２２Ｂと、第２のドライバ増幅器１２２Ｂの出力側に接続される第２の出力整合回路１２４Ｂとが設けられる。
【０１２０】
アイソレーション抵抗Ｒは、第１の出力整合回路１２４Ａの出力側と第２の出力整合回路１２４Ｂの出力側とを電気的に接続する。アイソレーション抵抗Ｒは、分配器３０２を構成するＴ分岐により分配された同相信号以外（例えば、反射波）の影響を吸収するために設けられる抵抗である。アイソレーション抵抗Ｒとしては、例えば５０［ｏｈｍ］の抵抗器などの、所定の電気抵抗値を有する抵抗器が挙げられる。
【０１２１】
分配器３０２は、例えば図９に示す構成を有する。
【０１２２】
ここで、分配器３０２は、図７に示す第２の実施形態に係る分配器２０２に、アイソレーション抵抗Ｒをさらに設けた構成を有する。
【０１２３】
よって、分配器３０２は、第２の実施形態に係る分配器２０２と同様の効果を奏する。
【０１２４】
また、分配器３０２では、アイソレーション抵抗Ｒによって分配器３０２を構成するＴ分岐により分配された同相信号以外（例えば、反射波）の影響が吸収されるので、整合した周波数付近のアイソレーション特性を、第２の実施形態に係る分配器２０２が用いられる場合よりもさらに向上させることができる。
【０１２５】
［３−２］キャリア増幅器１０４、インピーダンス変換回路１０６、位相調整回路１０８、ピーキング増幅器１１０、およびインピーダンス変換回路１１２
キャリア増幅器１０４、インピーダンス変換回路１０６、位相調整回路１０８、ピーキング増幅器１１０、およびインピーダンス変換回路１１２それぞれは、図４に示すキャリア増幅器１０４、インピーダンス変換回路１０６、位相調整回路１０８、ピーキング増幅器１１０、およびインピーダンス変換回路１１２と同様の機能、構成を有する。
【０１２６】
ドハティ型増幅器３００は、例えば図８に示す構成を有する。
【０１２７】
ここで、ドハティ型増幅器３００は、第２の実施形態に係るドハティ型増幅器２００と基本的に同様の構成を有する。したがって、ドハティ型増幅器３００は、第２の実施形態に係るドハティ型増幅器２００と同様に、アイソレーション特性を維持しつつ、ドハティ型増幅器１０のようなλ／４線路を用いた分配器を備えるドハティ型増幅器よりも大幅な小型化を図ることが、できる。
【０１２８】
また、ドハティ型増幅器３００は、第２の実施形態に係るドハティ型増幅器２００と同様に、第１の実施形態に係るドハティ型増幅器１００よりも、さらに小型化を図ることができる。
【０１２９】
さらに、ドハティ型増幅器３００は、アイソレーション抵抗Ｒを有する分配器３０２によって、整合した周波数付近のアイソレーション特性を、第２の実施形態に係るドハティ型増幅器２００よりもさらに向上させることができる。
【０１３０】
［４］本発明の実施形態に係るドハティ型増幅器が奏する効果の一例
上述したように、本発明の実施形態に係るドハティ型増幅器は、アイソレーション特性を維持しつつ、ドハティ型増幅器１０のようなλ／４線路を用いた分配器を備えるドハティ型増幅器よりも大幅な小型化を図ることが、できる。
【０１３１】
ここで、本発明の実施形態に係るドハティ型増幅器における、Ｔ分岐による分配出力の各端子間のアイソレーション特性の一例を挙げる。
【０１３２】
図１０は、本発明の実施形態に係るドハティ型増幅器における、Ｔ分岐による分配出力の各端子間のアイソレーション特性の一例を示す説明図である。図１０のＡは、第１の実施形態に係るドハティ型増幅器１００および第２の実施形態に係るドハティ型増幅器２００それぞれにおけるアイソレーション特性の一例を示している。また、図１０のＢは、第３の実施形態に係るドハティ型増幅器３００におけるアイソレーション特性の一例を示している。
【０１３３】
２．５［ＧＨｚ］付近の周波数帯を例に挙げると、本発明の実施形態に係るドハティ型増幅器のアイソレーションの値は、下記の通りである。
・第１の実施形態に係るドハティ型増幅器１００および第２の実施形態に係るドハティ型増幅器２００（図１０のＡ）：約１５［ｄＢ］
・第３の実施形態に係るドハティ型増幅器３００（図１０のＢ）：約２５［ｄＢ］
【０１３４】
また、本発明の実施形態に係るドハティ型増幅器と同様の条件における、分配器としてウィルキンソン電力分配回路や９０度ハイブリッド回路を備えるドハティ型増幅器１０のアイソレーションの値、および図３に示すドハティ型増幅器５０のアイソレーションの値は、下記の通りである。
・ドハティ型増幅器１０：約２５［ｄＢ］
・ドハティ型増幅器５０：約３．５［ｄＢ］
【０１３５】
図１０に示す２．５［ＧＨｚ］付近の周波数帯におけるアイソレーションの値の例に示すように、第３の実施形態に係るドハティ型増幅器３００は、分配器としてウィルキンソン電力分配回路や９０度ハイブリッド回路を備えるドハティ型増幅器１０と同等のアイソレーション特性を有していることが、分かる。
【０１３６】
また、図１０に示す例では、第１の実施形態に係るドハティ型増幅器１００および第２の実施形態に係るドハティ型増幅器２００は、第３の実施形態に係るドハティ型増幅器３００よりもアイソレーション特性が低い。しかしながら、第１の実施形態に係るドハティ型増幅器１００および第２の実施形態に係るドハティ型増幅器２００は、約１５［ｄＢ］のアイソレーションの値を有しており、ドハティ型増幅器の目標性能にもよるが、ドハティ型増幅器１００およびドハティ型増幅器２００は、ドハティ型増幅器として十分に実用的である。
【０１３７】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【符号の説明】
【０１３８】
１０、５０、１００、２００、３００    ドハティ型増幅器
１２、５２、１０２、２０２、３０２    分配器
１４、１０４    キャリア増幅器
１６、２２、１０６、１１２    インピーダンス変換回路
１８、１０８    位相調整回路
２０、１１０    ピーキング増幅器
１２０Ａ    第１の入力整合回路
１２０Ｂ    第２の入力整合回路
１２２Ａ    第１のドライバ増幅器
１２２Ｂ    第２のドライバ増幅器
１２４Ａ    第１の出力整合回路
１２４Ｂ    第２の出力整合回路
２１０    入力整合回路
Ｒ    アイソレーション抵抗
【図１】
2018074255.tif 000003
【図２】
2018074255.tif 000004
【図３】
2018074255.tif 000005
【図４】
2018074255.tif 000006
【図５】
2018074255.tif 000007
【図６】
2018074255.tif 000008
【図７】
2018074255.tif 000009
【図８】
2018074255.tif 000010
【図９】
2018074255.tif 000011
【図１０】
2018074255.tif 000012